(57)【特許請求の範囲】
【請求項１】
展開物質と、前記展開物質を収納する密封部材によって密封される容器と、前記展開物質を前記密封部材によって支持する支持部と、この支持部の下段に位置して展開媒質を収納する展開媒質部材とを備えた精密臨界温度表示機において、
相異なる直径の同心円状の層状に形成された第１及び第２円筒部と、第１円筒部周りに間隔をおいて形成した円板を備え、第２円筒部には容器を収納し、第１円筒部には支持部が内周周りに隣接して位置する上部；
前記支持部がシート部に位置し且つ前記展開媒質部材が前記上部の下面に位置し、そして前記上部の下面をこの展開媒質部材に隣接して密封し、さらに冷凍・冷蔵製品に固定するために接着剤を設けた下部を構成する温度センサー；
前記円板の上部に位置する一つ以上の表示窓を有する不透明な材質の表示部；及び
作動ボタンを中心孔に嵌合し、前記温度センサーを収納し、下側面が密封されるキャップ部から構成されたことを特徴とする精密臨界温度表示機。
【請求項２】
前記温度センサーには展開物質部材を支持する支持部が前記展開媒質部材の円状シート部周りに位置するようにし、前記展開媒質部材がシート部から円状、多角形の外部に延びる延長部から構成され、上面または下面には色素を供給した請求項１に記載の精密臨界温度表示機。
【請求項３】
精密臨界温度表示機において、
展開物質を内部に収納し且つ中心が円状に突出するようにキャップ部からなった作動ボタンと、この作動ボタンから水平に所定距離延びており且つ直線形状に展開物質の通路が形成された延長部と、この延長部にキャップ部と同心円状に形成されて境界をなし且つ外周縁に接着剤を供給した第１隔室と、この第１隔室周りに隣接して同心円状に突出して所定空間を形成した第２隔室と、この第２隔室の周縁部を延ばし且つ一つ以上の表示窓を形成した前記周縁部とを設けた展開物質部材と；
前記展開物質部材の下面に位置し、前記展開物質の移動経路になる部位が同心円状、螺旋状または多角形状のうち、いずれか一つの形状に形成される展開媒質と、この展開媒質に隣接して上部を密封するシートからなった展開媒質部材から構成したことを特徴とする精密臨界温度表示機。
【請求項４】
精密臨界温度表示機の製造方法において、
ある所定の単一シート上に、展開物質を内部に収納し且つ中心が円状に突出するようにキャップ部からなった所定のドーム状の作動ボタン、この作動ボタンから水平に所定距離延びており且つ直線形状に展開物質の通路が形成された延長部と、この延長部にキャップ部と同心円状に形成されて境界をなし且つ外周縁に接着剤を供給した第１隔室と、この第１隔室周りに隣接して同心円状に突出して所定空間を形成した第２隔室と、この第２隔室の周縁部を延ばし且つ一つ以上の表示窓を形成した前記周縁部とを形成した展開物質部材を多数準備し、
この展開物質部材に形成した前記作動ボタン、前記第１隔室と前記通路に展開物質を充填し、
もう一つの単一シート上には展開媒質部材を重畳して結合させ、展開媒質部材上に所定形態の第１及び第２プリント層を、ポリエステルインキ、シリコンインキ、ウレタンインキ、ＰＶＣインキ、ナイロンインキ、エポキシインキのうち少なくとも一つの合成インキで形成して、展開物質接触部と展開物質移動路を形成する段階からなることを特徴とする精密臨界温度表示機の製造方法。
【請求項５】
精密臨界温度表示機において、
中心に展開物質を収納し、中心が半球状に突出するようにした成形層からなった作動ボタンを備え、作動ボタンの周りに円弧状に配置され且つ前記作動ボタンの左側及び右側の両側に多数の表示窓を形成して温度表示を可能にした展開物質部材；及び
前記展開物質部材と展開媒質部材の間に位置し、展開物質の移動速度を調節する速度調節窓を形成した境界層と、前記展開物質の速度調節窓に連結される移動通路を形成した展開媒質部材を備え、
作動ボタンによって前記展開物質が前記速度調節窓に誘導されて充填され、且つ前記両側で結合された前記展開媒質部材上の前記移動通路に沿って移動しながら、前記展開物質部材の所定位置の前記表示窓を通じて臨界温度検出を表示することを特徴とする精密臨界温度表示機。
【請求項６】
前記展開物質部材と前記境界層の間に位置する接着剤層において前記作動ボタン及び前記速度調節窓と一致する部位には接着剤が供給されず、前記展開媒質部材は微細多孔性フィルムからなり、前記展開物質の前記移動通路が前記速度調節窓と連結する部位と、この速度調節窓及び前記移動通路の位置を同じ円状の径とし且つ前記移動通路に隣接して形成した表示部を前記円状に並べて環形態に熱プレスされることを特徴とする請求項５に記載の精密臨界温度表示機。
【請求項７】
精密臨界温度表示機は印刷層をさらに含み、この印刷層は、前記速度調節窓と表示部領域には赤色、表示部の赤色の両側には黄色、その他の残りの部分には青色をプリントして、作動時点と臨界温度を表示するように構成したことを特徴とする請求項５に記載の精密臨界温度表示機。
【請求項８】
精密臨界温度表示機において、
内部に展開物質を収納し、中心が半球状に突出するようにした成形層からなった作動ボタン、成形層の作動ボタンから水平に所定距離延び、展開物質の流動を可能にする移動通路、この移動通路に連結され、作動ボタンの押圧力に対して展開物質を一時的に収納して緩衝機能を行う隔室からなった緩衝部と、作動ボタンの周りに円弧状に配置される多数の表示窓から構成される展開物質部材；
上部の展開物質部材の真下に位置し、この緩衝部に形成された媒質の展開通路に連結された速度調節窓を形成し、作動ボタンによって展開物質部材が速度調節窓に備えられた境界層；
前記移動通路から延びている展開通路を除いた部分が熱接着部分として形成された微細多孔性フィルムからなる展開媒質部材；
速度調節窓と表示部領域には赤色、表示部の赤色の両側には黄色、その他の残りの部分には青色をプリントしてなる印刷層と；
最下段に位置して密封する基部層から構成され、上部に形成した表示窓に作動時点と臨界温度を表示するようにしたことを特徴とする精密臨界温度表示機。
【請求項９】
前記展開物質部材は前記作動ボタンの周辺部周りに円形または四角形の形状になる表示窓と、この作動ボタンの中心から水平に前記周辺部に向かって延び、前記展開物質が流動する前記表示窓と同一の形状の展開通路と、この展開通路に接続されて前記展開物質を一次収納し、前記作動ボタンの押圧力に対して緩衝機能を行う一つ以上の隔室からなった緩衝部から構成したことを特徴とする請求項８に記載の精密臨界温度表示機。
【発明の詳細な説明】
【技術分野】
【０００１】
本発明は臨界温度表示機に関するもので、特に展開物質が充填された作動ボタンと展開物質の作動経路が形成される展開物質部材と、この展開物質部材と非接触状態で結合される展開物質の展開部を形成した展開媒質部材からなり、作動ボタンによって温度センサーの作動制御が簡易であり、正確な温度検知表示が行われたかを確認できる精密臨界温度表示機とその製造方法に関するものである。
【背景技術】
【０００２】
従来技術の代表的な温度表示機としては、商業的に受け入れ可能な３Ｍの「モニターマーク」という名称の製品がある。
【０００３】
図１に示すように、この臨界温度表示機１０は設定温度以上で反応して広がる展開物質層１１と、この展開物質層１１から溶媒を吸収する展開媒質層１２を備える。展開物質層１１はインキと脂肪酸またはパラフィンなどを含む温度センサー層であり、展開媒質層１２は吸墨性の紙または不織布からなっている。この展開物質層１１と展開媒質層１２の間には遮断層１３が位置している。展開物質層１１下には支持層１４と両面接着テープ１５が位置する。展開媒質層１２上には表示窓を形成した表示層１６が位置する。表示層１６は展開媒質層１２の位置に、多少大きい表示窓１６'と、多少小さい多数の表示窓１６”が長手方向に形成されている。表示層１６上には透明被服層１７が位置する。被服
【０００４】
一方、展開媒質層１２、表示層１６と透明被服層１７は一側の同一の位置に同一のサイズの切断部１８が形成されている。この切断部１８は下部から供給される接着剤により互いに結合する。このように構成した温度表示機１０において両面接着テープ１５上には支持層１４が付着される。支持層１４上には遮断層１３を介して長手方向に配列される展開物質層１１と展開媒質層１２が配列される。表示層１６は表示窓１６’、１６"を展開媒質層１2上に位置させた状態で遮断層１３上に置かれ、表示層１６上には透明被服層１７が位置することによって、温度表示機１０の組立が完成する。
【０００５】
したがって、この温度表示機は両面接着テープ１５の底面にある接着剤部分を冷蔵製品に付着させ、切断部１８を除去し、遮断層１３を取り出して展開物質層１１と展開媒質層１２を互いに密着して連結させる。以後、温度表示機１０は周辺温度の上昇により展開物質層１１が作動し始めることによって、色素を含むインキと脂肪酸またはパラフィンなどが溶融しながら展開媒質層１２に流入して移動し、表示窓１６’、１６"を通じて製品の保管状態を表示するようになる。
【０００６】
しかし、このような温度表示機は展開物質が長手方向に沿って作動するため、製品のサイズが大きく、使用時展開媒質層と展開物質層の間にある遮断層を除去しなければならないため、相当な注意を要するだけでなく、自動化が難しい。さらに温度表示機において展開物質は、覆われることなく露出しているため、溶融点以下で使用前１〜２時間程度冷却させなければならない。一方、不注意で常温に露出した状態で使用すると、展開物質が溶融状態になって遮断紙を除去する時、展開物質が付着する短所がある。特に、このようなストリップタイプは展開物質が一方向に展開する時、開始点から遠ざかるほど展開速度が遅くなって確認時間に対する誤差範囲が大きい短所がある。
【０００７】
もう一つの代表的な従来技術としては、特許文献１に開示された時間表示機とその製造方法がある。この時間表示機は第１貯蔵庫、移動媒体と液体を互いに接触させて第１貯蔵庫から運搬する作動手段を備え、作動後液体は、その内部で色変化を起こす移動媒体を経由して移動するようになる。作動手段は第１貯蔵庫と移動媒体の間に連結された第２貯蔵庫を備え、それによって作動後液体は第１貯蔵庫から第２貯蔵庫に比較的速い速度で移動し、次に移動媒体の長さに沿って比較的遅い速度で移動するようになる。
【０００８】
この特許は製品寿命に関する可視的な表示を行う特徴があるが、作動時展開物質になる液体が液体導管を移動した後、再び移動媒体と接触して長手方向に作動するため、液体の移動経路が二元化されている。したがって、時間の経過を正確に測定できず、脆弱密封部が液体導管を遮断する状態で設けられるため、第１貯蔵部になる作動手段（皿状部）を一定の力で作動させて破裂するようになっている。しかし、この脆弱密封部は第１貯蔵庫において移動媒体を作動手段として作動させる時、不注意でたびたび破裂して液体が外部に流れ出る短所がある。したがって、この時間表示機もやはり冷却環境に対する露出時点を正確に把握することが難しい。
【０００９】
このような点を勘案すると、臨界温度表示機が使用時点から作動時点までの作動の正確性を確認することができる作動メカニズムを備えて、製品の出庫時点から変換時点までの管理に対する状況がわかることが好ましい。
【００１０】
また、使用が便利であり、且つ小型の冷凍、冷蔵製品に適用すると共に、大量生産が可能である簡単な構造に築造することが非常に好ましい。
【先行技術文献】
【特許文献】
【００１１】
【特許文献１】米国特許第７，２３２，２５３号公報（公開公報第２００４／０２４０３２４、２００４．１２．０２公開）
【発明の概要】
【発明が解決しようとする課題】
【００１２】
このような点を鑑みてなされた本発明の主目的は、一つの胴体で構成され、分離結合する上部の展開物質部材と下部の展開媒質部材の接触を任意に制御するようにした精密臨界温度表示機とその製造方法を提供することにある。
【００１３】
本発明の他の目的は一つの胴体で構成され、展開物質が充填された作動ボタンと、展開物質の作動経路が二重に形成される展開物質部材を備えることによって、正確な温度検知表示が行われたかを確認することができる精密臨界温度表示機とその製造方法を提供することにある。
【００１４】
本発明のもう一つの目的は展開物質が充填された作動ボタンと、このボタンと分離された状態で形成される展開媒質部材の接触を任意に制御するようにした精密臨界温度表示機とその製造方法を提供することにある。
【００１５】
本発明のもう一つの目的は使用前に展開物質部材と展開媒質部材を簡単に分離する構造であって、自動で大量生産が可能であり、常温でも流通保管できるようにして取扱が便利な精密臨界温度表示機とその製造方法を提供することにある。
【課題を解決するための手段】
【００１６】
本発明の一実施形態によれば、精密臨界温度表示機は展開物質を収納し、中心が円状に突出するようにした成形層からなった作動ボタン、この作動ボタンから水平に延びており、直径線状に展開物質の通路が形成された延長部、この延長部に作動ボタンと同心円状に形成されて境界をなし、外周縁に接着剤を供給した第１隔室、この第１隔室周りに隣接して同心円状に突出して所定空間を形成した第２隔室、第２隔室の周縁部から延び、一つ以上の表示窓を形成した上部からなった展開物質部材；上部の下面に位置して展開物質の移動経路になる部位が同心円状、螺旋状またはジグザグ状などに形成される展開媒質部材；及びこの展開媒質部材に隣接して上部を密封するシートから構成される下部からなる。
【００１７】
この精密臨界温度表示機の製造方法は、まずある所定の単一シート上に所定の半球状の作動ボタン、第１及び第２隔室、通路などを形成した多数の展開物質部材になる上部シートを準備し；この上部シートに形成した作動ボタン、第１隔室と通路に展開物質部材を充填し；もう一つの単一シート上には多数の展開媒質部材からなった下部シートを重畳して結合させ；展開媒質部材の上に所定形態の第１及び第２プリント層をポリエステルインキなどの合成インキで形成して展開物質接触部と展開物質移動通路を形成する段階からなる。
【００１８】
本発明の他の実施形態によれば、精密臨界温度表示機は展開物質(部材)を収納する密封部材で密封させた容器；この容器を支持する支持部；相異なる直径の同心円状の層状に形成された第１及び第２円筒部と、第１円筒部周りに間隔をおいて形成した円板を備え、第２円筒部には容器が収納され、第１円筒部には支持部が内周周りに隣接して位置する透明な材質の上部からなった展開物質部材；前記支持部がシート部に位置し、前記上部の下面に位置する展開媒質部材(;)及びこの展開媒質部材に隣接して下面を密封する下部から構成される温度センサー；上部の第２円筒部上に位置する作動ボタン上部の円板上に位置する一つ以上の表示窓を有する不透明な材質の表示部；及び作動ボタンを中心孔に嵌合し、温度センサーを収納し、下側面が密封される透明な材質のキャップ部から構成される。
【００１９】
温度センサーは、展開物質部材を支持する支持部が展開物質部材の円状シート部周りに位置し、展開媒質部材がシート部から円形または多角形に外部に延びる延長部から構成され、上面または下面には色素を供給した構成になっている。
【００２０】
本発明のもう一つの実施形態によれば、精密臨界温度表示機は、中心に展開物質を収納し、中心が半球状に突出するようにした成形層からなった作動ボタンを備え、作動ボタンの周りに円弧状に配置される多数の表示窓を形成して温度表示が可能にした展開物質部材；展開物質部材と展開媒質部材の間に位置し、展開物質の移動速度を調節する速度調節窓を形成した境界層と、展開物質の速度調節窓に連結される移動通路を形成した展開媒質部材を備え、作動ボタンによって展開物質が速度調節窓に誘導されて充填され、且つその両側面に結合された展開媒質部材上の移動経路に沿って移動しながら、展開物質部材の所定位置に多数の表示窓を通じて臨界温度検出を表示する。
【００２１】
展開物質部材と境界層の間に位置する接着剤層において、作動ボタン及び速度調節窓と一致する部位には接着剤が供給されず、展開媒質部材は微細多孔性フィルムからなり、展開物質の移動経路が速度調節窓と折り畳む部位と、この速度調節窓に直線形状に移動経路に隣接して形成した表示部領域と共に円状の環形態に熱プレスされる。
【００２２】
精密臨界温度表示機は印刷層をさらに含み、この印刷層は、速度調節窓と表示部領域には赤色、表示部の赤色の両側には黄色、その他の残りの部分には青色をプリントして、作動時点と臨界温度を表示するように構成する。
【００２３】
本発明の一実施形態によれば、精密臨界温度表示機の製造方法は銀箔紙などにより多数の基部層になる密封シート、温度表示のための印刷シート、微細多孔性フィルムで製作され、媒質展開部として形成される展開媒質部材シート及び、速度調節窓を個別的に形成した多数の境界層シートを準備し；これらのシートを展開物質の展開通路を形成する熱接着部分を基準に熱融着して単一シートに合致し；合致したシートには多数の境界層上において展開物質の展開通路の内部円状部と表示窓を除いた全ての部分に接着剤を供給し；展開物質を収納する半球状の成形層を有した多数の展開物質部材からなったシートを接着層上に熱融着する段階からなる。
【００２４】
本発明のもう一つの実施形態によれば、精密臨界温度表示機は内部に展開物質を収納し、中心が半球状に突出するようにした成形層からなった作動ボタン、成形層の作動ボタンから水平に所定距離延び、展開物質の流動を可能にする移動通路、この移動通路に連結され、作動ボタンの押圧力に対して展開物質を一時的に収納して緩衝機能を行う隔室からなった緩衝部、及び作動ボタンの周りに円弧状に配置される多数の表示窓から構成される展開物質部材；上部の展開物質部材の真下に位置し、この緩衝部に形成された媒質の展開通路に連結された速度調節窓を形成し、作動ボタンによって展開物質部材が速度調節窓に備えられた境界層；移動孔から延びている展開通路を除いた部分が熱接着部分として形成された微細多孔性フィルムからなる展開媒質部材；速度調節窓と表示部領域には赤色、表示部の赤色の両側には黄色、その他の残りの部分には青色をプリントしてなる印刷層と；最下段に位置して密封する基部層から構成され、上部に形成した表示窓に作動時点と臨界温度を表示するようにする。
【００２５】
展開物質部材は作動ボタンの周辺部周りに円形または四角形などの形状になる表示窓と、この作動ボタンから水平に中心の出口に向かって延び、展開物質が流動する表示窓と同一の形状の展開通路、この展開通路に接続されて展開物質を一次収納し、作動ボタンの押圧力に対して緩衝機能を行う一つ以上の隔室からなった緩衝部から構成される。
【００２６】
本発明のもう一つの実施形態によれば、精密臨界温度表示機の製造方法は銀箔紙などにより多数の基部層になる密封シート、温度表示のための印刷シート、微細多孔性フィルムで製作され、媒質展開部として形成される展開媒質部材シート及び、速度調節窓を個別的に形成した多数の境界層シートを準備し；これらのシートを展開物質の展開通路を形成する熱接着部分を基準に熱融着して単一シートに合致し；合致したシートには多数の境界層上において展開物質の展開通路の内部円状部と表示窓を除いた全ての部分に接着剤を供給し；中心に展開物質を収納し、中心が半球状に突出するようにした成形層からなった作動ボタン、成形層の作動ボタンから水平に所定距離延び、展開物質の流動を可能にする移動通路、この移動通路に連結され、作動ボタンの押圧力に対して展開物質を一時的に収納して緩衝機能を行う隔室からなった緩衝部、及び作動ボタンの周りに円弧状に配置される多数の表示窓から構成される多数の展開物質部材のシートを接着層上に熱融着する段階からなる。
【発明の効果】
【００２７】
本発明によれば、展開物質部材と展開媒質部材を平常時隔離して保管し、使用時作動ボタンの展開物質に印加される力を制御して展開物質を展開通路に誘導したり緩衝部を緩衝させることによって、展開媒質部材の展開通路の形状によって臨界温度表示を遅延制御でき、使用前に溶融臨界温度以下に冷却させる必要がない精密臨界温度表示機を提供できる。
【００２８】
以下、本発明を添付図面に基づいて詳細に説明すれば次の通りである。
【図面の簡単な説明】
【００２９】
【図１】従来技術の一例を詳細に示した分解斜視図である。
【図２】本発明の一実施形態によって温度センサーを組み立てて示した斜視図と分解して詳細に示した分解斜視図である。
【図３】本発明の一実施形態によって温度センサーを組み立てて示した斜視図と分解して詳細に示した分解斜視図である。
【図４】本発明の一実施形態によって温度センサーからなった臨界温度表示機と固定部を結合して設けた精密臨界温度表示機の斜視図である。
【図５】本発明の一実施形態によって温度センサーからなった臨界温度表示機と固定部を結合して設けた精密臨界温度表示機の斜視図である。
【図６】本発明のもう一つの実施形態によって温度センサーとギャップ部及び下部構造体を結合して設けた精密臨界温度表示機を示した断面図である。
【図７】本発明のもう一つの実施形態によって温度センサーとギャップ部及び下部構造体を結合して設けた精密臨界温度表示機を示した断面図である。
【図８】バイアルのような薬品の蓋に適用した臨界温度表示機の断面図である。
【図９】本発明のもう一つの具体的な実施形態に係る精密臨界温度表示機を組み立てて示した斜視図と分解して詳細に示した分解斜視図である。
【図１０】本発明のもう一つの具体的な実施形態に係る精密臨界温度表示機を組み立てて示した斜視図と分解して詳細に示した分解斜視図である。
【図１１】本発明のもう一つの具体的な実施形態に係る精密臨界温度表示機を組み立てて示した斜視図と分解して詳細に示した分解斜視図である。
【図１２】本発明の具体的なもう一つの実施形態に係る精密臨界温度表示機を組み立てて部分的に切断して内部構成を示した精密臨界温度表示機の一部切欠斜視図と使用時作動ボタンを押して作動した状態を示した精密臨界温度表示機の一部切欠斜視図である。
【図１３】本発明の具体的なもう一つの実施形態に係る精密臨界温度表示機を組み立てて部分的に切断して内部構成を示した精密臨界温度表示機の一部切欠斜視図と使用時作動ボタンを押して作動した状態を示した精密臨界温度表示機の一部切欠斜視図である。
【図１４】本発明の具体的なもう一つの実施形態に係る精密臨界温度表示機の表示窓の形状を変形して、精密臨界温度表示機の作動状態を示した斜視図である。
【図１５】本発明の具体的なもう一つの実施形態に係る精密臨界温度表示機の表示窓の形状を変形して、精密臨界温度表示機の作動状態を示した斜視図である。
【図１６】本発明の具体的なもう一つの実施形態に係る精密臨界温度表示機の表示窓の形状を変形して、精密臨界温度表示機の作動状態を示した斜視図である。
【図１７】本発明の具体的なもう一つの実施形態によって精密臨界温度表示機を大量に自動製作する方法を示した斜視図である。
【図１８】本発明の具体的なもう一つの実施形態に係る精密臨界温度表示機を示した全体斜視図である。
【図１９】本発明の具体的なもう一つの実施形態に係る精密臨界温度表示機の部品を個別的に示した断面図である。
【図２０】本発明の具体的なもう一つの実施形態に係る精密臨界温度表示機を組み立て、使使用時作動ボタンを押して作動した状態を示した断面図である。
【図２１】本発明の具体的なもう一つの実施形態に係る精密臨界温度表示機を示した全体斜視図である。
【図２２】本発明の具体的なもう一つの実施形態に係る精密臨界温度表示機の側断面図である。
【図２３】本発明の具体的なもう一つの実施形態に係る精密臨界温度表示機の作動状態を示した側 断面図である。
【発明を実施するための最良の形態】
【００３０】
本発明の一実施形態によれば、精密臨界温度表示機２０は図２に示すように単一体に形成され、図３に示すようにケースを形成するもので、透明なＰＴＰまたはビニールコーティング膜で製作される上部２１と下部３３から構成される。ここでＰＴＰは錠剤またはジェリー形態の医薬品包装に一般的に使用するもので、（Ｐｒｅｓｓ  Ｔｈｒｏｕｇｈ  Ｐａｃｋ）の略字として圧着貫通パックの意味を有し、ブリスター（Ｂｌｉｓｔｅｒ）パックと呼ぶこともある。
【００３１】
上部２１は、その中心に相異なる二つの直径を有し、同心円状になった第１円筒部２４と第２円筒部２５が層をなして一体に形成され、第１円筒部２４の円周周りには第１連結部２６を除いて、所定の第１隙間２３を介して第１円板２２が形成されている。下部３３もやはりＰＴＰやビニール膜で構成され、上部２１の平面図のような形状になる。
【００３２】
下部３３の中心には第１円筒部２４と類似の面積の中心部３５が形成され、この中心部３５の周りには第２隙間３４を介して第１円板２２と一致する第２円板３６が形成され、中心部３５と第２円板３６の間には第１連結部２６と一致する第２連結部３７が形成される。ここで、第１隙間２３と第２隙間３４は図８において後述するように、キャップ部７１の突出部７２が通過するようにする。
【００３３】
上部２１と下部３３の間には温度センサー部４０が位置する。この温度センサー部４０は第２円筒部２５内に位置するＰＴＰのような材質の容器４１を備え、この容器４１は臨界温度以上で溶解する脂肪酸エステルまたはシリコンオイルを含む展開物質４２を収納し、密封部材４３によって下部を密閉する。密封部材４３は銀箔紙のように容易に破裂される材質で構成され、後述するように第２円筒部２５または以下に詳細に記述する作動ボタン５５の押圧による展開物質４２の下方移動により破裂される。
【００３４】
容器４１下には下部３３に隣接して展開媒質４７が位置し、この展開媒質は吸墨紙または不織布などで構成される。展開媒質の中心には、この展開物質４２が位置するシート部４６が形成され、シート部４６の一側から同心円または螺旋状に延び、所定の長さを有する延長部４５が形成される。この延長部４５は円形または多角形の場合もあり得る。また、この展開媒質４７の延長部４５の上や下には染料が付着されているので、展開物質４２が延長部４５に沿って移動する時、共に移動したり溶解して展開媒質４７を染色するようにする。
【００３５】
温度センサー部４０の作動前に、支持部４４は展開媒質４７のシート部４６の周りに位置して密封部材４３と共に容器４１を支持する状態で配置される。
【００３６】
このように構成した温度センサー部４０は下記実施形態のように、上段部には表示窓５３、６３及び７３を備えた不透明な第１表示部５１及びキャップ部６１、７１を構成し、下段部には固定部５２、下部構造体６２または容器蓋７６を備えることによって、独立的な精密臨界温度表示機として機能できる。
【００３７】
したがって、このような温度センサーは単独に使用することもでき、以下の実施形態のように、使用場所及び使用目的によって多様に使用することができる。
【００３８】
図４及び図５に示すように、他の実施形態においては精密臨界温度表示機５０を単一体に組み立てる。温度センサー２０の上面には不透明な材質で構成される第１表示部５１と下部に接着剤、好ましくは両面テープが提供されている固定部５２を備え、それらの間には温度センサー２０が位置する。第１表示部５１の円周周りには後述するように一つ以上の第１表示窓５３を形成できる。第１表示部５１は別途に構成せず、第１表示窓５３を形成する不透明ペイントで温度センサー２０の上段部の第１円板２２に印刷することができる。
【００３９】
このように構成した精密臨界温度表示機５０は、冷凍及び冷蔵製品に付着した状態で、温度センサー２０を作動するために第２円筒部２５を下方に押すと、展開物質４２が支持部４４の中心の空洞内に挿入されて作動する。この時、密封部材４３が破裂してしまい、展開物質４２は展開媒質４７のシート部４６に位置する。このような状態で、周辺温度が臨界温度以上になると、展開物質４２が溶解し、溶解液が展開媒質４７の延長部４６に展開する。この時展開媒質４７の上部や下部に供給された染料が展開物質４２に溶解したり展開媒質４７に沿って移動して発現し始め、臨界温度以上においては時間の経過によって発現位置が移動して所定遅延時間の間に第１表示窓５３に現れる。したがって、表示窓に表示された発現色を確認することによって、保管製品の現在状態を確認することができる。
【００４０】
また、本発明のもう一つの実施形態によれば、図６及び図７に示すように温度センサー２０は堅固なプラスチックなどの材質で形成されたキャップ部６１及び下部構造体６２内に組み立てる。
【００４１】
キャップ部６１は不透明な堅い材質で構成され、上部中心に形成したキャップ部中心孔６４に作動ボタン５５が嵌合され、その下には温度センサー２０が位置する。作動ボタン５５は下部にフランジ５６が形成されている。組立時にフランジ５６は温度センサー２０の第２円筒部２５上に位置すると共に、キャップ部６１の内部面に位置するので、作動ボタン５５はキャップ部の中心孔６４を通じて露出しながら、フランジにより離脱が阻止される。キャップ部６１は下段部が開放されているので、温度センサー２０を組み立てることができ、組立後には下部構造体６２を設けて下段部を閉鎖できる。第２表示窓６３はキャップ部６１の上面の所定位置に形成される。
【００４２】
このように構成した精密臨界温度表示機６０において、その他の全ての構成は前述した精密臨界温度表示機５０と同様であるので、それについての詳細な説明は省略する。
【００４３】
また、本発明に係るもう一つの実施形態に係る精密臨界温度表示機７０において、図８に示すように精密臨界温度センサー２０はキャップ部７１を利用して注射薬瓶または薬剤を収納したバイアルなどの容器蓋７６に適用できる。
【００４４】
すなわち、キャップ部７１は中心に円筒状部の円周周りの補正位置から延設される突出部７２を備え、この突出部７２は容器蓋７６に形成された容器蓋孔７５内に突出する。左右どちら側にも曲げてキャップ部７１と容器蓋７６が結合されるようにする。第３表示窓はキャップ部７１の上面の所定位置に形成され、上面の厚さ部に形成された孔７４には作動ボタン５５が嵌合される。
【００４５】
その他の全ての構成は前述した精密臨界温度表示機７０と同様であるので、それについての詳細な説明は省略する。
【００４６】
本発明のもう一つの具体的な実施形態によれば、精密臨界温度センサー２０は単一胴体で形成され、図９と図１０に示すようにケースを形成する透明なＰＴＰまたはビニールコーティング膜で構成され、上部になる展開物質部材１３０と、展開物質が展開し、下部になる展開媒質部材１５０から構成される。
【００４７】
展開物質部材１３０は、その中心にドーム状に類似の球または半球のようなキャップ部から構成される作動ボタン１３１、この作動ボタン１３１から相異なる二つの直径の同心円になる第１隔室１３２、作動ボタン１３１から第１隔室１３２に連結される通路１３５、第２隔室１３３とそれらの周縁部１３４上に形成された表示窓１３６を備える。展開物質１４０は作動ボタン１３１、通路１３５、及び第１隔室１３２に充填される状態になる。作動ボタン１３１と第１隔室１３２の間にある通路１３５の以外の部分は延長部１３７になり、この延長部は熱、超音波またはボンドなどを利用して展開媒質部材１５０の展開媒質１５１と接着されている。
【００４８】
展開媒質部材１５０は展開媒質１５１と、この展開媒質１５１を保護し、これに隣接して展開物質部材１３０と結合する基部１５２からなる。展開媒質１５１は作動ボタン１３１、第１隔室１３２、後述する通路からなった第１展開物質接触部１５５に接触して貯蔵される。第１展開物質接触部１５５の円周周りに隣接して第１プリント層１５４が第１隔室１３２と第２隔室１３３の境界部に形成され、この第１プリント層１５４は接着剤などによって後述する所定の方法で境界部に結合される。さらに、この第２展開物質接触部１５３は展開物質移動通路１５６を形成するように所定形状、例えば図１１に示すように、第２プリント層１５７によって一つ以上の同心円に形成される。第２プリント層１５７は内側が第２隔室１３３の外周縁部と結合し、外郭は後述するように展開物質部材１３０の下部外側部と結合する。
【００４９】
ここで、第１及び第２プリント層１５４、１５７はポリエステルインキ、シリコンインキ、ウレタンインキ、ＰＶＣインキ、ナイロンインキ、エポキシインキなどを使用して形成する。また、第１及び第２プリント層５４、５７の代わりに、成形ナイフを利用してシリカでコートしたシートやろ過紙を切断して形成できる。展開物質は脂溶性色素が溶解した脂肪酸オイルやパラフィン、シリコンオイルを使用することができる。
【００５０】
図１２と図１３に示すように、精密臨界温度表示機１２０は展開物質部材１３０と展開媒質部材１５０が結合されている。展開物質部材１３０は作動ボタン１３１、移動通路１３５と第１隔室１３２に展開物質部材１４０が充填され、第１隔室１３２と第２隔室１３３の間の境界部が第１プリント層１５４に接着される状態になり、第２隔室１３３は空洞状態になっている。第２隔室１３３の円周が第２プリント層1５７に接着され、その他の展開物質部材１３０の全ての部分、すなわち延長部１３７と第２隔室１３３から周縁部１３４は、熱や超音波またはボンドなどを利用して展開媒質部材１５１と接着されている。
【００５１】
ここで注目することは、展開物質１４０を展開媒質1５１と一時的であっても効果的に遮断する構成の第１及び第２隔室１３２、１３３と、展開媒質1５１上に所定形状になる第１及び第２プリント層１５４、１５７で形成される第１展開物質接触部１５５により規定される展開媒質移動通路１５６が温度センサーを構成する点である。
【００５２】
このような温度センサーからなった精密臨界温度表示機は、使用時まず作動ボタン１３１を押圧すると、第１プリント層１５４と第１及び第２隔室１３２、１３３の境界部の接着が解除されて展開物質１４０は第２隔室１３３に移動して充填するようになる。以後展開媒質１４０は展開媒質移動通路１５６に沿って移動するようになり、所定遅延時間後には図１４に示すように、表示窓１３６に所定色を表示するようになる。さらに、表示窓１３６は図１５に示すように、周縁部１３４の周りに円弧状に展開媒質移動通路１５６に沿って形成されるので、展開物質１４０の移動を分かることができ、図１６に示すように、周縁部１３４に円弧状に配置される多数の表示窓１３６を形成することによって、展開媒質移動通路１５６に沿って展開物質１４０の移動状態を分かることができる。
【００５３】
図１７に示すように、本発明のもう一つの具体的な実施形態に係る精密臨界温度表示機１２０は次の通り製作する。ブリスターなどの材質で製造される単一シートを使用して、まず所定のドーム状の作動ボタン、第１及び第２隔室、通路などを形成した多数の展開物質部材１３０を有したシートを準備する。この展開物質部材１３０には作動ボタン、第１隔室と、通路に展開物質１４０を充填する。もう一つの単一シート上には展開物質部材を重畳して結合させ、次に展開媒質部材上に所定形態の第１及び第２プリント層をポリエステルインキなどの合成インキで形成して、展開物質接触部と展開物質移動通路を形成する。そして、展開物質部材１３０上に展開媒質部材１５０を位置させ、熱や超音波または接着剤を利用して互いに一体に結合させる。以後、このように一度に大量に自動生産する精密臨界温度表示機は、一つずつ分離して製品として使用する。
【００５４】
本発明のもう一つの具体的な実施形態によれば、図１８及び１９に示すように精密臨界温度表示機は単一胴体で形成し、上部には展開物質部材２３０が位置する。展開物質部材２３０はＰＥまたはＰＶＣで製造し、その内部には展開物質２３１を収納し、中心には半球状に突出した成形層Ａからなった作動ボタン２３２を備え、作動ボタン２３２の周りには円弧状に配置される多数の表示窓、すなわち左側に一定間隔をおいて形成した左側表示窓２３３と、右側に一定間隔をおいて形成した右側表示窓２３４を備えている。したがって、両方向に展開する方式で温度表示が可能である。
【００５５】
展開物質部材２３０の下部には後述する境界層Ｃからなった中間部材２５０が接着される接着層Ｂとして構成された接着部材２４０が配置される。この接着部材２４０において、作動ボタン２３２及び速度調節窓２５１と一致する部位には接着剤が供給されない空間２４１が形成され、媒質の移動通路として機能する。
【００５６】
中間部材２５０は後述する展開媒質部材２６０との間に位置して展開物質２３１の移動経路として形成され、その一側の角には媒質の移動速度を調節する速度調節窓２５１が形成される。
【００５７】
展開媒質部材２６０は微細多孔性フィルムで形成され、作動ボタン２３２内に展開物質２３１を速度調節窓２５１と連結する展開通路２６１がリング状になり、直径線状に一側に速度調節窓２５１部位と他側に展開通路２６１の終着点になる最終展開部位２６２が区画され、以後これらの部位は熱プレスされる。
【００５８】
精密臨界温度表示機20は印刷層Ｅになる印刷部材２７０をさらに含み、この印刷部材２７０は速度調節窓２５１の部位と一致して赤色、左右表示窓２３３、２３４の表示部領域になる展開通路２６１上には青色、最終展開部位の表示窓２３５の両側には黄色、最終展開部位の表示部位２６２の表示窓には赤色をプリントし、作動時点と臨界温度を表示するように構成する。この印刷部材２７０は別の層であるか、後述する基部層Ｆになる密封部材２８０上に形成できる。
【００５９】
展開物質部材２３０は透明なＰＴＰまたはビニールコーティング膜で製造し、中間部材２５０はＰＥ、ＰＰ、ポリオレフィン（Ｐｏｌｙｏｌｅｆｉｎ）またはアルミニウム材質などを使用することができる。
【００６０】
精密臨界温度表示機は図２０に示すように作動する。まず冷凍、冷蔵製品に付着して作動待機になる（１）。作動ボタン２３２を押すと、展開物質２３１が移動経路２４１に沿って移動し、速度調節窓２５１を経由することによって、表示窓２３８が作動開始を表示する（２）。以後展開物質２３１は展開通路２６１の両端部に供給されて展開通路２６１の両方向に移動し、展開が始まるようになる（３）。以後展開物質２３１は時間推移によって展開して、左右の表示窓２３３、２３４に青色を表示する（３）、（４）。以後展開過程で、表示窓２３６、２３７は黄色を表示して警告し（５）、次に表示窓２３５には赤色を表示して、冷凍、冷蔵製品が危険範囲にあることを表示する（６）。したがって、精密臨界温度表示機の作動開始時点から最終段階まで温度表示が可能である。
【００６１】
このような精密臨界温度表示機は多数の密封部材２８０になる密封シート、温度表示のための多数の印刷部材２７０からなった印刷部材シート、微細多孔性フィルムで製作され、媒質展開通路２６１を形成した多数の展開媒質部材を備えた展開媒質シートと、速度調節窓２５１を個別的に形成した多数の境界層Ｃになる中間部材シートを準備し、これらのシートを展開物質２３１の展開通路２６１を形成する熱接着部分を基準に熱融着して単一シートに合致する。合致したシートには多数の中間部材２５０上に展開物質２３１の展開通路２６１の内部円状部と表示窓を除いた全ての部分に接着剤を供給し、展開物質２３１を収納する半球状の成形層を有した多数の展開物質部材２３０からなったシートを接着層上に熱融着する段階からなる。
【００６２】
本発明のもう一つの実施形態によれば、精密臨界温度表示機は図２１及び図２２に示すように単一胴体で構成される。この精密臨界温度表示機は展開物質部材２３０を除いて、第１実施形態と同様であるので、それについての説明は省略して、展開物質部材２３０を重点的に記述する。展開物質部材２３０は、その内部に展開物質２３１を収納し、中心が半球状に突出するようにした成形層Ａからなった作動ボタン２３２を備え、作動ボタン２３２の周りに円弧状に配置される多数の表示窓、すなわち左側に一定間隔をおいて形成した左側表示窓２３３及び警告表示窓２３６、右側に一定間隔をおいて形成した右側表示窓２３４及び警告表示窓２３７と、危険表示窓２３５から構成して、両方向に展開する物質の温度表示が可能である。この作動ボタン２３２には、それに隣接し、それから水平に所定距離延びて展開物質の流動を可能にする移動通路２３１aが形成され、この移動通路２３１aに連結され、作動ボタン２３２の押圧力に対して展開物質２３１を一時的に収納して緩衝機能を行う隔室からなった緩衝部２３９が形成されている。
【００６３】
一方、作動ボタン２３２の内部には、好ましくは脂溶性色素を有したインキと混ざり合った展開物質２３１を充填することができ、本実施形態においては脂肪酸エステルなどの透明な展開物質を使用する。
【００６４】
したがって、展開物質部材２３０は作動ボタン２３２の押圧によって図２３に示すように、その圧力で展開物質２３１を移動通路２３１aを経由して空いた空間の隔室になる緩衝部２３９内に一次流入する。この時、緩衝部２３９は圧力の一部を緩衝する機能する。ここで、移動通路２３１aは作動ボタン２３２と緩衝部２３９の間において接触面積が少ない部位で形成されて容易に分離できる脆弱部として構成する。
【００６５】
このような精密臨界温度表示機の製造方法もやはり、多数の密封部材２８０になる密封シート、温度表示のための多数の印刷部材２７０からなった印刷部材シート、微細多孔性フィルムで製作される媒質展開通路２６１を形成した多数の展開媒質部材を備えた展開媒質シートと、速度調節窓２５１を個別的に形成した多数の境界層Ｃになる中間部材シートを準備し、これらのシートを展開物質２３１の展開通路２６１を形成する熱接着部分を基準に熱融着して単一シートに合致する。合致したシートには多数の中間部材２５０上において展開物質２３１の展開通路２６１の内部円状部と表示窓を除いた全ての部分に接着剤を供給し、展開物質２３１を収納する半球状の成形層を有した多数の展開物質部材２３０からなったシートを接着層上に熱融着する段階からなる。
【００６６】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【図１】
0005439501.tif 000002
【図２】
0005439501.tif 000003
【図３】
0005439501.tif 000004
【図４】
0005439501.tif 000005
【図５】
0005439501.tif 000006
【図６】
0005439501.tif 000007
【図７】
0005439501.tif 000008
【図８】
0005439501.tif 000009
【図９】
0005439501.tif 000010
【図１０】
0005439501.tif 000011
【図１１】
0005439501.tif 000012
【図１２】
0005439501.tif 000013
【図１３】
0005439501.tif 000014
【図１４】
0005439501.tif 000015
【図１５】
0005439501.tif 000016
【図１６】
0005439501.tif 000017
【図１７】
0005439501.tif 000018
【図１８】
0005439501.tif 000019
【図１９】
0005439501.tif 000020
【図２０】
0005439501.tif 000021
【図２１】
0005439501.tif 000022
【図２２】
0005439501.tif 000023
【図２３】
0005439501.tif 000024